(57)【要約】  【課題】  確実に差込プラグとコンセントとの通電を防止することができるプラグロック装置を提供する。  【解決手段】  プラグロック装置１の挿入孔１２に差込プラグ２の刃３が挿入されると、突出片３８が穿孔４と係合する。差しロット１４が、奥に差し込まれた固定位置に位置する場合、一対の係合部材１８の間に差しロット１４の先端部２６ａが位置する。その結果、突出片３８が穿孔４との係合を解除する方向に移動しようとしても、係合部材１８が先端部２６ａと接触して内側方向に変位できないので、突出片３８と穿孔４との係合が維持され、刃３が挿入孔１２から抜けることが抑制される。【選択図】図２
2011146349.tif 000002
【特許請求の範囲】
【請求項１】
差込プラグの刃を挿入可能な挿入孔を有するケースと、
前記挿入孔に挿入された前記刃に形成された穿孔と係合して、前記刃が前記挿入孔から抜けることを抑制する係合位置と、前記穿孔との係合が解除されて、前記刃が前記挿入孔から抜けることを許可する許可位置と、に変位可能である突出片を有する係合部材と、
前記係合部材と接触して、前記突出片を前記係合位置に固定する固定位置と、前記突出片が前記固定を解除する解除位置と、に変位可能な操作部材と、を備える
ことを特徴とするプラグロック装置。
【請求項２】
前記ケースは、前記突出片の変位する領域の近傍においてガイド部を有しており、
前記ガイド部は、前記突出片の変位方向に関する前記刃の位置を固定する
ことを特徴とする請求項１に記載のプラグロック装置。
【請求項３】
前記操作部材が前記固定位置となった状態で、前記操作部材の変位を制限するロック機構を備える
ことを特徴とする請求項１または請求項２に記載のプラグロック装置。
【請求項４】
前記ロック機構は、ダイヤルロックであって、所定の番号を揃えた場合に前記操作部材の前記解除位置への変位が可能となる
ことを特徴とする請求項３に記載のプラグロック装置。
【請求項５】
前記ロック機構は、シリンダ錠であって、所定の鍵を挿入した場合に前記操作部材の前記解除位置への変位が可能となる
ことを特徴とする請求項３に記載のプラグロック装置。
【発明の詳細な説明】
【技術分野】
【０００１】
本発明は、配線用差込接続器の差込プラグに装着し、コンセントへの刃の挿入を防止するプラグロック装置に関する。
【背景技術】
【０００２】
電気機器の無断使用や不正使用を防止する方法の一つとして、当該電気機器の差込プラグをコンセントへ挿入できなくすることが考えられる。一般家庭で用いられる電気機器の差込プラグの多くは、図１４に示すように、一対の刃３を有しており、その刃３には所定の位置に穿孔４が形成されている。そこで従来、差込プラグの穿孔を利用してコンセントへの挿入を防止する装置が提案されている。
【０００３】
例えば、差込プラグの刃に形成された穿孔に南京錠のつるを通してロックすることで、刃がコンセントに挿入できなくする南京錠や（特許文献１参照）、箱体の挿入穴に刃を挿入すると刃の穿孔にロックピンが係合し、鍵穴に鍵を挿入して回すとカムがロックピンを押し広げることで穿孔とロックピンの係合が外れる差込プラグの施錠器などが提案されている（特許文献２参照）。
【先行技術文献】
【特許文献】
【０００４】
【特許文献１】実開平７−４７３９号公報
【特許文献２】実開平１−１４８０号公報
【発明の概要】
【発明が解決しようとする課題】
【０００５】
しかしながら、上記特許文献１の南京錠は、施錠しても差込プラグの刃が露出しているため、コンセントに無理やり差し込んだり、刃に送電用のケーブルを繋げたりしてコンセントと通電することが不可能ではなかった。
【０００６】
また、南京錠に荷重が加わると刃に強い負荷が加わるため、上述したように無理やりコンセントに差し込もうとしたり、誤って踏みつけたりすると容易に刃が曲がってしまうという問題があった。
【０００７】
一方、上記特許文献２の施錠器は、ロックピンがそれ自身の弾性力で刃の穿孔に係合することで差込プラグを固定している。しかしながら、通常、穿孔の端面は面取りされた円形であることから、ロックピンを弾性力のみで穿孔と強固に係合することは難しく、係合が容易に解除されるため差込プラグのロックが抜けやすいという問題があった。
【０００８】
本発明は、上述した問題に鑑みてなされたものであり、その目的は、確実に差込プラグとコンセントとの通電を防止することができるプラグロック装置を提供することである。
【課題を解決するための手段】
【０００９】
上述した問題を解決するためになされた請求項１に記載の発明は、差込プラグの刃を挿入可能な挿入孔を有するケースと、前記挿入孔に挿入された前記刃に形成された穿孔と係合して、前記刃が前記挿入孔から抜けることを抑制する係合位置と、前記穿孔との係合が解除されて、前記刃が前記挿入孔から抜けることを許可する許可位置と、に変位可能である突出片を有する係合部材と、前記係合部材と接触して、前記突出片を前記係合位置に固定する固定位置と、前記突出片の前記固定を解除する解除位置と、に変位可能な操作部材と、を備えることを特徴とするプラグロック装置である。
【００１０】
このように構成されたプラグロック装置であれば、操作部材が固定位置に位置していると、突出片が係合位置に固定されるため、刃の穿孔と突出片との係合が維持される。このとき、突出片の固定は係合部材が操作部材に接触することで実現されているため、上述した穿孔と突出片との係合が解除され難い。即ち、操作部材を固定位置に移動させるだけで差込プラグをプラグロック装置に強固に固定することができる。
【００１１】
上述した固定位置とは、例えば、突出片の係合位置から許可位置への変位に伴って係合部材が移動する領域に操作部材の少なくとも一部が存在する場合の操作部材の位置とすることが考えられる。このように構成すれば、操作部材が固定位置にあると突出片の許可位置への変位に伴う係合部材の移動が行えず、突出片の変位を確実に防止できる。
【００１２】
また、上述した解除位置は、固定位置とは反対に、突出片の係合位置から許可位置への変位に伴って係合部材が移動する領域に操作部材が存在しない場合の操作部材の位置とすることが考えられる。このように構成すれば、操作部材が解除位置にあるとき突出片は許可位置に変位することができる。
【００１３】
また、差込プラグがプラグロック装置に差し込まれた状態では、刃がケースで覆われるため、刃と直接導通するためのケーブルなどを用いてもコンセントと通電することができない。
【００１４】
このように、本発明のプラグロック装置では、確実に差込プラグとコンセントとの通電を防止することができる。
また、プラグロック装置に荷重が加えられても、従来の南京錠を用いた構成のように、刃に局所的に負荷が加わることがないので、刃が変形することを抑制できる。
【００１５】
なお、本実施例のプラグロック装置は、一般家庭等で使用される刃が２枚の差込プラグに合わせて構成することで高い汎用性を得ることができるが、特殊な形状の差込プラグに対して用いる場合には、その差込プラグの刃の形状や枚数に合わせて挿入孔などを形成するとよい。
【００１６】
請求項２に記載の発明は、請求項１に記載のプラグロック装置において、前記ケースが、前記突出片の変位する領域の近傍においてガイド部を有しており、前記ガイド部が、前記突出片の変位方向に関する前記刃の位置を固定することを特徴とする。
【００１７】
このように構成されたプラグロック装置では、差込プラグを差し込んだ際に、刃の位置がガイド部によって固定された位置となる。そのため、刃の位置が大きく変動することがなくなり、突出片が係合位置に移動したときの係合を確実に行うことができる。
【００１８】
また、仮に差込プラグの刃が湾曲していても、ガイド部により位置が矯正されるため、係合を確実に行うことができる。なお、特許文献２の構成のロックピンでは、差込プラグの刃が曲がっていると、穿孔にピンが十分に係合せず抜けやすくなってしまったり、逆に係合が強くなりすぎて必要以上に抜けにくくなってしまったりする。
【００１９】
請求項３に記載の発明は、請求項１または請求項２に記載のプラグロック装置において、前記操作部材が前記固定位置となった状態で、前記操作部材の変位を制限するロック機構を備えることを特徴とする。
【００２０】
このように構成されたプラグロック装置では、ロック機構により、操作部材の変位が制限できる。そのため、突出片が係合位置にある場合にロックを行うことで、ロック機構を解除できない者によってプラグロック装置から差込プラグが抜かれ、コンセントに挿入して使用されることを防止できる。
【００２１】
上述したロック機構は様々な形態をとることができる。例えば、請求項４，５のように構成することが考えられる。
請求項４に記載の発明は、請求項３に記載のプラグロック装置において、前記ロック機構がダイヤルロックであって、所定の番号を揃えた場合に前記操作部材の前記解除位置への変位が可能となることを特徴とする。
【００２２】
このように構成されたプラグロック装置では、ダイヤルロックにより差込プラグが抜かれることを防止することができる。そのため、ロック解除にはダイヤル番号を揃えるだけでよく、簡便に操作することができる。
【００２３】
請求項５に記載の発明は、請求項３に記載のプラグロック装置において、前記ロック機構がシリンダ錠であって、所定の鍵を挿入した場合に前記操作部材の前記解除位置への変位が可能となることを特徴とする。
【００２４】
このように構成されたプラグロック装置では、シリンダ錠により差込プラグが抜かれることを防止することができる。そのため、ロック解除には鍵が必要となるため、確実にロック解除を抑制できる。
【図面の簡単な説明】
【００２５】
【図１】実施例１のプラグロック装置の正面図（Ａ）、左側面図（Ｂ）、右側面図（Ｃ）、平面図（Ｄ）、背面図（Ｅ）
【図２】実施例１のプラグロック装置の図１（Ｃ）におけるＡ−Ａ断面図
【図３】実施例１の差しロットの平面図（Ａ）、背面図（Ｂ）
【図４】実施例１のダイヤルの側面図（Ａ）、正面図（Ｂ）
【図５】実施例１の係合部材の正面図（Ａ）、平面図（Ｂ）
【図６】実施例１の保持部材の側面図（Ａ）、背面図（Ｂ）
【図７】実施例１のプラグロック装置の図１（Ａ）におけるＢ−Ｂ断面図
【図８】実施例１の係合部材付近の拡大図
【図９】実施例２のプラグロック装置の図１（Ｃ）におけるＡ−Ａ断面図
【図１０】実施例２の係合部材付近の拡大図
【図１１】実施例３のプラグロック装置の正面図（Ａ）、左側面図（Ｂ）、右側面図（Ｃ）、平面図（Ｄ）、背面図（Ｅ）
【図１２】実施例３のプラグロック装置の図１１（Ｃ）におけるＧ−Ｇ断面図（Ａ），（Ｂ）、図１１（Ａ）におけるＨ−Ｈ断面図（Ｃ）
【図１３】実施例３のケース内部を示す断面図
【図１４】差込プラグを示す図
【発明を実施するための形態】
【００２６】
以下に本発明の実施例を図面と共に説明する。ただし、以下に説明する実施例は、あくまでも例示にすぎず、本発明が、下記の事例以外にも様々な形態で実施できるのはもちろんである。
［実施例１］
（１）全体構成
本実施例のプラグロック装置１の外観を図１（Ａ）〜（Ｅ）に示す。また、図１（Ｃ）におけるＡ−Ａ断面図を図２（Ａ），（Ｂ）に示す。
【００２７】
プラグロック装置１は、ケース１０に形成された２つの挿入孔１２に、図示しない電子機器の差込プラグ２の一対の刃３を挿入可能に構成されており（図２（Ｂ）参照）、差しロット１４を操作することで、刃３が挿入孔１２から抜けることを防止する装置である。また、３つのダイヤル１６を回転させて、差しロット１４の操作をロックする機能も有している。以下、プラグロック装置１の構成を詳細に説明する。
【００２８】
ケース１０は絶縁性のプラスチックで形成されている。このケース１０は、差しロット１４，ダイヤル１６，後述する一対の係合部材１８，保持部材２０，コイルバネ４４，板バネ４６などの部品をケース１０内部に保持するように構成されている。
【００２９】
またケース１０は、上述した挿入孔１２の内部にガイド部２２が形成されている。このガイド部２２は差込プラグ２を差し込んだときに刃３の位置を固定するため、ガイド部２２における刃３の厚さ方向の幅（一対の刃３の並ぶ方向の幅）を、刃３の厚さ（１．５ｍｍ程度）よりやや大きい幅（１．７ｍｍ程度）に形成している。
【００３０】
差しロット１４は、図３（Ａ），（Ｂ）に示すように、ユーザが差しロット１４を操作する際に掴む操作片２４と、操作片２４から延び出す円柱状の柱部２６と、柱部２６側面から外側に延び出す３つの係合片２８と、からなる。柱部２６は、その延び出した先端部２６ａが、図２（Ａ），（Ｂ）に示すように、一対の係合部材１８の間に挟まる幅に形成されている。なお、この差しロット１４が、本発明における操作部材に相当する。
【００３１】
ダイヤル１６は、図４（Ａ），（Ｂ）に示すように、中心に貫通孔３０が形成された円環形状の部材である。ダイヤル１６の外側面には、貫通孔３０の軸方向に沿って複数の溝３２が形成されており、図１（Ａ）に示すように、溝３２の間の領域に数字が表記されている。また、貫通孔３０の周縁部には、他の部分よりも厚みの小さい接触部３４が形成されている。この接触部３４の一部には切り欠き３４ａが形成されている。
【００３２】
係合部材１８は、図５（Ａ），（Ｂ）に示すように、円板形状のベース３６と、ベース３６の一方の面から突出する突出片３８と、からなる。突出片３８は柱状であって、その先端は曲面形状となっている。また、ベース３６の他方の面には溝４０が形成されている。
【００３３】
保持部材２０は、図６（Ａ），（Ｂ）に示すように、断面Ｃ字形状の略筒状体であって、筒状体の中空部分と外部とをつなぐ開口４２が長さ方向全体にわたって形成されている。
【００３４】
上述した各構成要素を組み付けると、図２（Ａ），（Ｂ）に示すように、保持部材２０の内側（中空部分）に差しロット１４の柱部２６が挿入され、またこの保持部材２０がダイヤル１６の貫通孔３０を通過するように配置される。なお、図示しないが、差しロット１４の係合片２８は保持部材２０の開口４２に位置するように配置される。
【００３５】
また、一対の係合部材１８は、突出片３８同士が逆方向を向き、溝４０同士が対向するように配置されている。この溝４０それぞれにコイルバネ４４の両端部が位置しており、コイルバネ４４によって、一対の係合部材１８は互いに離れる向きに付勢されている。
【００３６】
また、板バネ４６は、ダイヤル１６の溝３２と係合する突起が形成されている。その突起と溝３２とが係合することで、ダイヤル１６の位置を規定する。
（２）プラグロック装置の作用
まず、差しロット１４の係合片２８およびダイヤル１６からなるロック機構について図７（Ａ），（Ｂ）に基づいて説明する。図７（Ａ），（Ｂ）は、図１（Ａ）におけるＢ−Ｂ断面図である。図７（Ａ）は差しロット１４を奥まで差し込んだ状態を示す。以降この位置を固定位置という。図７（Ｂ）は差しロット１４を所定位置まで抜いた状態を示す。以降この位置を解除位置という。
【００３７】
ユーザは、ダイヤル１６を指などで操作して回転させることができる。３つのダイヤル１６のいずれか１つ以上が正しい位置にない場合、図７（Ａ）に示すように、差しロット１４の係合片２８はダイヤル１６の接触部３４と接触するため、固定位置から動かすことができない。３つのダイヤル１６全てが正しい位置にある場合、係合片２８は切り欠き３４ａを通過するため、図７（Ｂ）に示すように、解除位置へ移動させることができる。
【００３８】
次に、差込プラグ２をプラグロック装置１に差し込んだ際の係合部材１８の動作を図８（Ａ）〜（Ｃ）に基づいて説明する。ここではまず、差しロット１４が解除位置にある場合について説明する。
【００３９】
刃３が係合部材１８に接触する前の状態を図８（Ａ）に示す。一対の係合部材１８はコイルバネ４４によりそれぞれ矢印方向に付勢され、突出片３８がガイド部２２の内部に突出している。以降、この位置を係合位置という。
【００４０】
ここで、刃３が深く挿入されると、図８（Ｂ）に示すように、刃３と突出片３８が接触し、曲面形状の突出片３８は内側方向（図中矢印方向）に押されて移動する。この状態では突出片３８がガイド部２２内部に大きく突出しないため、刃３の挿入を妨げず刃３の挿入が可能になる。以降、この位置を許可位置という。
【００４１】
さらに刃３が挿入されると、図８（Ｃ）に示すように、穿孔４が突出片３８の部分に移動するため、コイルバネ４４に付勢された突出片３８が再び係合位置に移動して、穿孔４と係合する。
【００４２】
また、図８（Ｃ）の状態から刃３を抜くと、図８（Ｂ）に示すように突出片３８が内側方向に移動して許可位置となる。よって、刃３を抜くことが可能になる。
このように、差しロット１４が解除位置にある場合、突出片３８は固定されることなく、係合位置と許可位置とに変位できる。
【００４３】
ここで、差しロット１４が固定位置にある場合、図２（Ａ），（Ｂ）のように、突出片３８が係合位置となっている一対の係合部材１８の間に差しロット１４の先端部２６ａが位置している。その結果、突出片３８が許可位置に移動しようとしても、係合部材１８が先端部２６ａと接触して内側方向に変位できないので、突出片３８は許可位置に移動できず係合位置のまま維持される。
【００４４】
よって、差しロット１４が固定位置にある場合には、差込プラグ２が差し込まれて穿孔４と突出片３８との係合した状態から差込プラグ２を抜こうとしても、穿孔４と突出片３８との係合が維持されるため、刃３が挿入孔１２から抜けることが抑制される。
（３）発明の効果
以上説明した構成のプラグロック装置１であれば、差しロット１４が固定位置に位置していると、突出片３８が係合位置に固定されるため、刃３の穿孔４と突出片３８との係合が維持される。このとき、突出片３８の固定は係合部材１８が差しロット１４に接触することで実現されているため、穿孔４と突出片３８との係合が解除され難い。即ち、差しロット１４を固定位置に移動させるだけで差込プラグ２をプラグロック装置１に強固に固定することができる。
【００４５】
また、差込プラグ２がプラグロック装置１に差し込まれた状態では、刃３がケース１０で覆われるため、刃３と直接導通するためのケーブルなどを用いてもコンセントと通電することができない。
【００４６】
即ち、本実施例のプラグロック装置１では、確実に差込プラグ２とコンセントとの通電を防止することができる。
また、差しロット１４を解除位置に移動させるだけで、突出片３８の変位が可能となり、差込プラグ２の抜き差しが行えるようになる。なお、コイルバネ４４の付勢力は突出片３８と穿孔４との係合には大きく関与しない。よって、コイルバネ４４の付勢力が差込プラグ２の抜き差しの妨げになることが少なく都合がよい。仮に、特許文献２のロックピンのように弾性力により係合を維持する構成では、強固に係合するためには剛性の高い材料にてロックピンを形成する必要があるが、剛性を高くすると差込プラグ２の抜き差しに強い力が必要になり不便である。
【００４７】
また、プラグロック装置１に荷重が加えられても、従来の南京錠を用いた構成のように、刃３に局所的に負荷が加わることがないので、刃３が変形することを抑制できる。
また、本実施例のプラグロック装置１では、差込プラグ２を差し込んだ際に、刃３の位置がガイド部２２によって固定された位置となる。そのため、刃３の位置が大きく変動することがなくなり、突出片３８が係合位置に移動したときの係合を確実に行うことができる。
【００４８】
また、仮に差込プラグ２の刃３が湾曲していても、ガイド部２２により位置が矯正されるため、突出片３８との係合を確実に行うことができる。なお、特許文献２の構成のロックピンでは、差込プラグの刃が曲がっていると、穿孔にピンが十分に係合せず抜けやすくなってしまったり、逆に係合が強くなりすぎて必要以上に抜けにくくなってしまったりする虞があるが、本実施例のプラグロック装置１ではそのような問題は生じない。
【００４９】
また、差込プラグ２が充分に奥まで差し込まれておらず、穿孔４の位置が突出片３８の位置からずれた状態において差しロット１４を誤って固定位置に移動してしまい、刃３の穿孔４以外の部分を突出片３８で押してしまっても、ガイド部２２によって、刃３が押し広げられて変形してしまうことを抑制できる。
【００５０】
また、本実施例のプラグロック装置１では、ダイヤル１６の操作により差しロット１４をロックできるため、正しいダイヤル番号を知らない者によってプラグロック装置１から差込プラグ２が抜かれて使用されることを防止できる。また、ロックの解除にはダイヤル番号を揃えるだけでよく、簡便に操作することができる。
［実施例２］
（１）全体構成
実施例２にて説明するプラグロック装置５は、実施例１のプラグロック装置１と比較して差込プラグ２を固定するための構成が相違する。そこで、実施例１のプラグロック装置１と同様の構成については実施例１と同じ符号を用いて説明を割愛し、相違する点のみを説明する。
【００５１】
本実施例のプラグロック装置５の外観は図１（Ａ）〜（Ｅ）に示す実施例１のものと同様である。図１（Ｃ）におけるＡ−Ａ断面図を図９（Ａ），（Ｂ）に示す。
プラグロック装置５は、実施例１の係合部材１８およびコイルバネ４４に代えて、係合部材５０およびバネ５２を有している。これらの拡大図を図１０（Ａ）に示す。また図１０（Ａ）におけるＣ−Ｃ断面を図１０（Ｂ）に示す。またＤ−Ｄ断面を図１０（Ｃ）に示す。またＥ−Ｅ断面を図１０（Ｄ）に示す。またＦ−Ｆ断面を図１０（Ｅ）に示す。
【００５２】
係合部材５０は、挟み片５０ａ、５０ｂからなる。これら挟み片５０ａ、５０ｂは貫通孔５０ｃ、５０ｄを有しており、ケース５４に形成された柱５６を中心に回転可能となっており、図９（Ａ）の位置（係合位置）と（Ｂ）の位置（許可位置）の範囲にて変位する。また、係合部材５０は、挟み片５０ａ、５０ｂそれぞれに突出片５８が形成されている。
【００５３】
バネ５２は挟み片５０ａ、５０ｂの両方と係合しており、挟み片５０ａ、５０ｂが互いに接近する方向に付勢している。
また、プラグロック装置５は、差しロット１４に代えて、先端部６０ａがテーパ状に形成された差しロット６０を有する。差しロット６０を差し込んだ状態（固定位置にある状態）では、図９（Ａ）および図１０（Ａ）に示すように、差しロット６０が挟み片５０ａ、５０ｂを押し広げる結果、突出片５８が係合位置に移動し、ガイド部２２の内部に突出する。
【００５４】
一方、差しロット６０を抜いた状態（解除位置にある状態）では、図９（Ｂ）に示すように、挟み片５０ａ、５０ｂがバネ５２に付勢されて閉じた状態となり、突出片５８が許可位置に移動し、ガイド部２２の内部に突出しなくなる。
【００５５】
なお、差しロット６０を固定位置に移動すると、差しロット６０の先端部６０ａ付近に形成された係合溝６０ｂに突出片５８の突起６２が係合する。これにより、バネ５２の付勢力や、または差込プラグ２を抜こうとしたときに突出片５８に加えられる荷重によって、差しロット６０が押し出されて解除位置に移動してしまうことを抑制できる。
（２）効果
以上説明した実施例２のプラグロック装置５は、実施例１にて説明したプラグロック装置１と同様に、確実に差込プラグ２とコンセントとの通電を防止しつつ、刃３の変形を抑制し、また差しロット６０の操作を簡便にロックすることができる。
［実施例３］
（１）全体構成
実施例３にて説明するプラグロック装置６は、実施例１のプラグロック装置１と比較してロック機構の構成が相違する。そこで、実施例１のプラグロック装置１と同様の構成については実施例１と同じ符号を用いて説明を割愛し、相違する点のみを説明する。
【００５６】
本実施例のプラグロック装置６の外観を図１１（Ａ）〜（Ｅ）に示す。また、図１１（Ｃ）におけるＧ−Ｇ断面図を図１２（Ａ），（Ｂ）に示す。また、図１１（Ａ）におけるＨ−Ｈ断面図を図１２（Ｃ）に示す。なお、図１２（Ａ）はシリンダ７４を大きく押し込んだ状態を示しており、図１２（Ｂ），（Ｃ）はシリンダ７４の押し込み量が少ない状態を示している。
【００５７】
プラグロック装置６は、鍵７０と、ケース７２に配置されたシリンダ７４、バネ７６ａ，７６ｂ、ケース側ピン７８ａ，７８ｂ、シリンダ側ピン８０ａ，８０ｂなどにより構成されるロック機構を備える。鍵７０が挿入されると、図１２（Ａ）に示すように、ケース側ピン７８ａ，７８ｂとシリンダ側ピン８０ａ，８０ｂとの境界がシリンダ７４の側面表面に位置することとなり、シリンダ７４の回転が可能となる。図１２（Ｂ），（Ｃ）は、図１２（Ａ）の位置からシリンダ７４を回転させた状態を示している。
【００５８】
また、シリンダ７４に形成された孔７４ａにはバネ８２および係合片８４が配置されており、係合片８４の一端はバネ８２に付勢されてシリンダ７４側面よりも外側に突出している。ケース７２には、図１３（Ａ），（Ｂ）に示すように、階段状のスリット９０が形成されており、係合片８４がいずれかの段に係合することで、シリンダ７４の軸方向の移動が抑制される。なお、図１３（Ａ）が図１２（Ａ）に対応する図であり、図１３（Ｂ）が図１２（Ｂ），（Ｃ）に対応する図である。
【００５９】
シリンダ７４の奥には操作部材８６が配置されている。図１２（Ａ）のようにシリンダ７４が押し込まれた状態では、操作部材８６はシリンダ７４に押されて一端が一対の係合部材１８の間に位置する固定位置となる。また、図１２（Ｂ），（Ｃ）のようにシリンダ７４が押し込まれていない状態では、バネ８８に付勢されてシリンダ７４側に移動し、一端が一対の係合部材１８の間から抜けた許可位置となる。
（２）発明の効果
以上説明した実施例３のプラグロック装置６は、実施例１にて説明したプラグロック装置１と同様に、確実に差込プラグ２とコンセントとの通電を防止しつつ、刃３の変形を抑制し、また差しロット１４の操作を簡便にロックすることができる。
【００６０】
また、差しロット１４のロックは鍵７０にて行うため、鍵７０を有していない者はロックの解除を行うことができず、より高いロック機能を付与することができる。
［変形例］
以上、本発明の実施例について説明したが、本発明は、上記実施例に何ら限定されることはなく、本発明の技術的範囲に属する限り種々の形態をとり得ることはいうまでもない。
【００６１】
例えば、上記実施例においては、いずれもロック機構を備える構成を例示したが、ロック機構を有さない構成であってもよい。ロック機構を有していない場合であっても、刃３の保護や、差込プラグ２の誤操作の防止などに利用することができる。
【００６２】
また、上記実施例においては、２枚の刃を有する差込プラグ２を対象としたプラグロック装置の構成を例示したが、上記以外の特殊な形状の差込プラグに対しても用いることができる。その場合には、差込プラグの刃の形状や枚数に合わせて挿入孔などを形成するとよい。
【００６３】
また、上記実施例１に記載したプラグロック装置１において、さらにダイヤル番号を変更可能に構成してもよい。ダイヤル番号を変更可能とする構成は数々提案されているが、例えば特開平６−２７２４４３号公報，特開平９−２２８７０３号公報，実用新案登録第３０８５０４８号公報に記載されている構成を用いることが考えられる。
【符号の説明】
【００６４】
１…プラグロック装置、２…差込プラグ、３…刃、４…穿孔、５…プラグロック装置、６…プラグロック装置、１０…ケース、１２…挿入孔、１４…差しロット、１６…ダイヤル、１８…係合部材、２０…保持部材、２２…ガイド部、２４…操作片、２６…柱部、２６ａ…先端部、２８…係合片、３０…貫通孔、３２…溝、３４…接触部、３４ａ…切り欠き、３６…ベース、３８…突出片、４０…溝、４２…開口、４４…コイルバネ、４６…板バネ、５０…係合部材、５０ａ，５０ｂ…挟み片、５０ｃ，５０ｄ…貫通孔、５２…バネ、５４…ケース、５６…柱、５８…突出片、６０…差しロット、６０ａ…先端部、６０ｂ…係合溝、６２…突起、７０…鍵、７２…ケース、７４…シリンダ、７４ａ…孔、７６ａ，７６ｂ…バネ、７８ａ，７８ｂ…ケース側ピン、８０ａ，８０ｂ…シリンダ側ピン、８２…バネ、８４…係合片、８６…操作部材、８８…バネ、９０…スリット
【図１】
2011146349.tif 000003
【図２】
2011146349.tif 000004
【図３】
2011146349.tif 000005
【図４】
2011146349.tif 000006
【図５】
2011146349.tif 000007
【図６】
2011146349.tif 000008
【図７】
2011146349.tif 000009
【図８】
2011146349.tif 000010
【図９】
2011146349.tif 000011
【図１０】
2011146349.tif 000012
【図１１】
2011146349.tif 000013
【図１２】
2011146349.tif 000014
【図１３】
2011146349.tif 000015
【図１４】
2011146349.tif 000016